(57)【特許請求の範囲】
【請求項１】
２箇所の螺子孔を備える第１プレートと、該第１プレートに固定される一対のパイプ状の取付部を有する棚本体部と、該取付部に回動自在に付設される螺子頭目隠用の第２プレートを備える棚装置であって、該第２プレートは該第１プレートの螺子孔の中のひとつに対向する第３螺子孔と、該第３螺子孔の中心を軸芯とする該第２プレート面に対して垂直方向に延びる天面開口がキャップで塞がれる円筒状部を備えるものであることを特徴とする棚装置。
【請求項２】
前記第２プレートが取付部に回動自在に嵌合する形態が、該第２プレートのプレート面に直交する方向に延出する短管部と、パイプ状の取付部との嵌合によるものであることを特徴とする請求項１記載の棚装置。
【請求項３】
前記第１プレートは、該プレート面に対して垂直方向に延びる棚本体部の取付部と嵌合する円筒突起部を、更に備えることを特徴とする請求項１または２記載の棚装置。
【請求項４】
前記キャップが付設された円筒状部は、タオルなどが掛けられるフックとして使用されることを特徴とする請求項１〜３のいずれか１項記載の棚装置。
【請求項５】
前記棚本体部は、Ｕ字形状の本体部と、該本体部の両側部材に前後方向に所定のピッチで複数個、差し渡しで架設される差し渡し材からなることを特徴とする請求項１〜４のいずれか１項記載の棚装置。
【請求項６】
２箇所の螺子孔を備える第１プレートと、該第１プレートに固定される一対のパイプ状の取付部を有する棚本体部と、該取付部に回動自在に付設される螺子頭目隠用の第２プレートとを備え、該第２プレートは該第１プレートの螺子孔の中のひとつに対向する第３螺子孔と、該第３螺子孔の中心を軸芯とする該第２プレート面に対して垂直方向に延びる円筒状部とを備え、該第１プレート、該棚本体部及び該第２プレートを組み付けた後、該組み付け体を壁等の固定部材に螺子止めし、その後、該円筒状部の天面開口をキャップで塞ぐことを特徴とする棚装置の施工方法。
【発明の詳細な説明】
【技術分野】
【０００１】
本発明は、壁等の固定部材に螺子止めにより固定される螺子頭が外からは見えない意匠性に優れる棚装置及びその施工方法に関するものである。
【背景技術】
【０００２】
棚装置は、床面に設置される組み立て式の棚装置や例えばバスタオルなどを置くために、脱衣室の壁面のやや上方に取り付けられる棚装置などが挙げられる。
【０００３】
従来、壁面に固定される棚装置としては、図５に示すように、壁面Ｘに予め固定される左右一対の固定プレート５３と、固定プレート５３に螺子５４で螺子止めされるフランジ部５１を有するパイプ部材からなる棚本体部５２を備える棚装置５０が知られている。また、固定プレート５０が省略され、フランジ部５１を直接、壁面Ｘに取り付ける棚装置も知られている。
【発明の開示】
【発明が解決しようとする課題】
【０００４】
しかしながら、従来の壁面に固定される棚装置５０は、左右一対の固定プレート５３、５３間の距離を、一対のフランジ部５１、５１間の距離と一致させる必要があり、固定プレート５３、５３の設置工事は施工者にとって煩わしい作業であった。通常、壁面に固定プレート５３、５３を設置する作業は、新築の場合、室内電灯が付かない状況で行われることがあり、暗闇の中または工事用電灯の中で行う作業は容易ではなかった。
【０００５】
また、左右一対の固定プレート５３、５３を使用することなく、フランジ部５１を直接、壁面に取り付ける場合、上記の固定プレートの設置作業は免れるものの、螺子頭５５が外から見えるため、特に高級感をだすためにクロムメッキされた棚装置の場合、意匠性を害するという問題があった。螺子頭５５を外から見えなくするため、フランジ部５１と同色の円形シールを施工後に貼付する方法もあるが、この方法であっても、高級感を阻害するという問題があった。
【０００６】
従って、本発明の目的は、別途の部材の固定プレートを使用することなく、直接、壁面への固定ができると共に、螺子頭が外から見えない意匠性に優れた棚装置を提供することにある。
【課題を解決するための手段】
【０００７】
すなわち、本発明は、２箇所の螺子孔を備える第１プレートと、該第１プレートに固定される一対のパイプ状の取付部を有する棚本体部と、該取付部に回動自在に付設される螺子頭目隠用の第２プレートを備える棚装置であって、該第２プレートは該第１プレートの２箇所の螺子孔の中のひとつに対向する第３螺子孔と、該第３螺子孔の中心を軸芯とする該第２プレート面に対して垂直方向に延びる円筒状部と、該円筒状部の天面開口を塞ぐキャップを備えるものであり、ことを特徴とする棚装置を提供するものである。
【０００８】
また、本発明は、２箇所の螺子孔を備える第１プレートと、該第１プレートに固定される一対のパイプ状の取付部を有する棚本体部と、該取付部に回動自在に付設される螺子頭目隠用の第２プレートとを備え、該第２プレートは該第１プレートの２箇所の螺子孔の中のひとつに対向する第３螺子孔と、該第３螺子孔の中心を軸芯とする該第２プレート面に対して垂直方向に延びる円筒状部とを備え、該第１プレート、該棚本体部及び該第２プレートを組み付けた後、該組み付け体を壁等の固定部材に螺子止めし、その後、該円筒状部の天面開口をキャップで塞ぐことを特徴とする棚装置の施工方法を提供するものである。
【発明の効果】
【０００９】
本発明の棚装置は、別途の部材の固定プレートを使用することなく、壁面へ直接、取り付けることができるため、施工性に優れる。また、螺子頭が外から見えないため、意匠性に優れる。また、キャップが付いた円筒状部は、第２螺子の螺子頭を目隠しすると共に、タオルなどが掛けられるフックの機能を備える。
【発明を実施するための最良の形態】
【００１０】
次ぎに、本発明の実施の形態における棚装置を図１〜図４を参照して説明する。図１は本例の棚装置の斜視図、図２は図１の棚装置で使用する第１プレートの斜視図、図３は図１の棚装置で使用する第１プレート、第２プレート及び棚本体部のパイプ状の取付部の組み付け前の縦断面図、図４は図１の棚装置の壁面への取付部の拡大断面図をそれぞれ示す。
【００１１】
棚装置１０は、図１中、左右一対の第１プレート１、棚本体部３及び左右一対の第２プレート２から構成され、第１プレート１、棚本体部３及び第２プレート２を組み付けた後、壁等の固定部材Ｘに螺子５、６で螺子止めされるものである。第１プレート１は組み付け前は別部材である棚本体部３を壁面に固定する部材である。第１プレート１は所定の厚みの矩形状の本体部１３と、本体部上方にプレート面１３１に対して垂直方向に所定の長さ延びる円筒突起部１４と、本体部１３の円筒突起部１４の下方に位置する、本体部１３の長手方向に上方から第１の螺子孔１１、第２の螺子孔１２とを有する（図２参照）。円筒突起部１４は、棚本体部３の取付部のパイプ３１と嵌合する部材であり、円筒突起部１４の延出方向と直交する方向に、パイプ３１を固定する螺子３２と螺合する雌螺子がきられている。また、図１中、左側の第１プレート１と右側の第１プレート１は同じ形状、同じ寸法である。
【００１２】
第２プレート２は第１プレート１を壁面に固定すると共に、使用した第１の螺子５の螺子頭を外部から見えないように隠すための部材である。すなわち、第２プレート２は、第１プレート１と略同じ形状の本体部２１と、第１プレート１の円筒突起部１４と対向する位置にある短管部２２と、第１プレート１の第２の螺子孔１２に対向する位置にある第３螺子孔２４と、第３螺子孔２４の中心を軸芯とする第２プレート面２１１に対して垂直方向に延びる天面開口２３１がキャップ４で塞がれる円筒状部２３を備える。また、短管部２２の内壁面には、内周突起２６が形成され、内周突起２６で形成される小内径ｄ２と、棚本体部３の外径ｄ４のパイプ状の取付部３１が嵌る大内径ｄ３を有する。内周突起２６は第１プレート１の直径ｄ１の円筒突起部１４を挿通容易とすると共に、棚本体部３のパイプ状の取付部３１の嵌め込み深さを規制する。すなわち、第１プレート１の円筒突起１４の直径ｄ１＜内周突起２６で形成される小内径ｄ２であり、棚本体部３のパイプ状の取付部３１の外径ｄ４＜短管部２２の内径ｄ３であり、第１プレート１の円筒突起１４の直径ｄ１＜棚本体部３のパイプ状の取付部３１の内径ｄ５である。また、棚本体部３のパイプ状の取付部３１には、組み付け状態において、円筒突起部１４に形成された螺子孔と合致する螺子３２が挿通される螺子孔が形成されている。これにより、組み付け後、螺子３２により円筒突起部１４と棚本体部３の取付部３１とは一体的に固定される。すなわち、第１プレート１の円筒突起部１４、棚本体部３の取付部３１及び第２プレート２の短管部２２の３部材は嵌合した状態において、円筒突起部１４と棚本体部３の取付部３１とは一体的に固定され、第２プレート２の短管部２２は棚本体部３のパイプ状の取付部３１周りに、回動自在となる。
【００１３】
第２プレート２の第３螺子孔２４は、第１プレート１の表面と第２プレート２の裏面を合致させた状態において、第２の螺子孔１２に対向する。このため、第２の螺子６を壁面Ｘにねじ込むことができる。また、円筒状部２３の内径は第２の螺子６及びドライバーが入る程度の寸法であればよい。また、円筒状部２３の先端部分はキャップ４がねじ込まれる雌螺子が形成されている。すなわち、円筒状部２３は、壁面Ｘに取り付ける際は、螺子孔２４の第２の螺子６が挿入される通路を提供し、円筒状部２３の天面の開口２３１にキャップ４が取り付けられた後は、第２の螺子６の螺子頭を目隠しする機能と、タオルなどが掛けられるフックの機能を奏するものである。  
【００１４】
棚本体部３は、第１プレート１に固定される一対のパイプ状の取付部３１を有するものであれば、特に制限されないが、本例ではＵ字形状の本体部３３と、本体部３３の両側部材３３１に前後方向に所定のピッチで複数個、差し渡しで架設される差し渡し材３４からなる。差し渡し材３４は通常、Ｕ字形状の本体部３３のパイプ径より小さいものであり、差し渡し材３４のＵ字形状の両側部材３３１との接合部分は、つぶし加工され、該つぶし部分とＵ字形状の両側部材３３１が接合されている。
【００１５】
棚装置１０は、左右一対の第１プレート１、棚本体部３及び左右一対の第２プレート２及びキャップ４から構成され、第１プレート１、棚本体部３及び第２プレート２は、壁面に設置する前に組み込まれる。すなわち、第１プレート１の円筒突起１４を第２プレート２の短管部２２のパイプ内に挿通させる。次いで、第２プレート２の短管部２２から突出（図３中、右方向）した円筒突起１４を、棚本体部の取付部３１のパイプ内へ挿通させ、更に取付部３１のパイプの先端を短管部２２の円周突起２６まで押し込む。次いで、第１プレート１の円筒突起１４と棚本体部３の取付部３１を螺子３２で固定して組み付け体を得る。この状態は、図３において、螺子５、６及びキャップ４が無い状態のものである。
【００１６】
次いで、前記組み付け体を壁面Ｘの設置場所に位置させる。該組み付け体の壁面Ｘへの設置は、第２プレート２で目隠しされる第１の螺子５を使用して第１プレート１を壁面Ｘへ固定する工程、第１プレート１の第２の螺子孔１２と第２プレート２の第３の螺子孔２４を合致させた後、第２の螺子６を使用して第１プレート１と第２プレート２を壁面Ｘに固定する工程及び第２の螺子６を目隠しするキャップを取り付ける工程を順次実施するものである。なお、前記組み付け体を壁面Ｘに固定する方法においては、左右の取付部について行うが、以下の説明は、一方の取付部についてのみ説明する。先ず、第２プレート２を第１プレート１の第１の螺子孔１１が見えるように回動させる。次いで、第１プレート板１を壁面Ｘに第１の螺子５により螺子止めする。この場合、第１の螺子５の螺子頭が第１プレート１のプレート面から突出しないようする。このような第１の螺子５により組み付け体を壁面Ｘに固定する方法は、従来の固定プレートを設置する場合に比べて、厳密な位置決め精度を必要としないため、施工が容易である。次いで、第２プレート２を図中、符号Ｚ方向に回動させ、第１プレート１と第２プレート２をぴったりと合わせる。この際、第１の螺子５の螺子頭は第２プレート２により目隠しされ外側からは見えない状態となり、且つ第１プレート１の第２の螺子孔１２の位置と第２プレート２の第３の螺子孔２４の位置が合致する。
【００１７】
この状態において、第１プレート１と第２プレート２を壁面Ｘに第２の螺子６により螺子止めする。第２の螺子６は、第２プレート２の円筒状部２３の天面の開口２３１から挿入し、ねじ込まれる。次いで、円筒状部２３の天面の開口２３１にキャップ４をする。これにより、第２の螺子孔１２に使用する第２の螺子６の螺子頭はキャップ４で目隠しされるから外からは見えなくなる。
【００１８】
棚装置１０によれば、別途の部材の固定プレートを使用することなく、壁面Ｘへ直接、取り付けることができるため、施工性に優れる。また、２つの螺子の螺子頭が外から見えないため、意匠性に優れる。また、キャップ４が付いた円筒状部２３は、第２螺子６の螺子頭を目隠しすると共に、タオルなどが掛けられるフックの機能を備える。また、棚装置１０を構成する第１プレート、棚本体部及び第２プレートをクロムメッキ製とすれば、一層の高級感が得られる。
【００１９】
棚装置１０において、第１プレート１に付設される螺子孔の設置数としては、上記２個に限定されず、３つまたは４つであってもよい。また、これら螺子孔の設置位置としても特に制限されない。螺子孔の設置数が３つ以上の場合でも、ひとつの螺子孔の位置と第２プレート２の円筒状部４の位置を合致させればよい。この場合、他の螺子の螺子頭は、第２プレート２により目隠しされる。第２プレート２の円筒状部４の長さは、特に制限されず、例えばタオル掛けを目的としない場合は、短いものであってもよい。また、第１プレート１の円筒突起１４と棚本体部３のパイプ状の取付部３１を固定する螺子３２の螺子頭は隠されてはいないものの、螺子頭を上方に向けておけば、外から見え難いものとなり、本願発明の優れた意匠性は維持される。また、第１プレート１の円筒突起１４と棚本体部３のパイプ状の取付部３１を固定する方法として、螺子３２以外の手段を用いることもできる。
【図面の簡単な説明】
【００２０】
【図１】本例の棚装置の斜視図。
【図２】図１の棚装置で使用する第１プレートの斜視図。
【図３】図１の棚装置で使用する第１プレート、第２プレート及び棚本体部のパイプ状の取付部の組み付け前の縦断面図。
【図４】図１の棚装置の壁面への取付部の拡大断面図。
【図５】従来の棚装置を壁面に取り付ける方法を説明する図。
【符号の説明】
【００２１】
１      第１プレート
２      第２プレート
３      棚本体部
４      キャップ
５      第１の螺子
６      第２の螺子
１０      棚装置
１１      第１の螺子孔
１２      第２の螺子孔
１３      第１プレートの本体部
１４      円筒突起部
２１      第２プレートの本体部
２２      短管部
２３      円筒状部
２４      第３の螺子孔
２６      内周突起
【図１】
0004841322.tif 000002
【図２】
0004841322.tif 000003
【図３】
0004841322.tif 000004
【図４】
0004841322.tif 000005
【図５】
0004841322.tif 000006